(57)【特許請求の範囲】
【請求項１】
表示器と、前記表示器を収容する正面に開口が設けられたケースと、前記表示器よりも正面側に配置され、前記表示器を露出するための露出穴が設けられた前記ケースの正面開口を塞ぐ見返しと、前記見返しの正面側を覆う表ガラスと、を備え、前記ケースに放熱用の放熱孔が設けられた表示装置において、
前記表示器の正面側の全縁部と前記見返しの背面側において前記露出穴の全縁部との間に設けた弾性のパッキンをさらに備えた
ことを特徴とする表示装置。
【請求項２】
前記ケースには、所定の意匠が設けられた表示板が前記表示器と並べて収容され、
前記表示板の縁部が、前記パッキンよりも正面側に配置されている
ことを特徴とする請求項１に記載の表示装置。
【発明の詳細な説明】
【技術分野】
【０００１】
本発明は、表示装置に係り、特に、表示器と、前記表示器を収容する正面に開口が設けられたケースと、前記表示器よりも正面側に配置され、前記表示器を露出する露出穴が設けられた前記ケースの正面開口を塞ぐ見返しと、前記見返しの正面側を覆う表ガラスと、を備え、前記ケースに放熱用の放熱孔が設けられた表示装置に関するものである。
【背景技術】
【０００２】
自動車のインストルメントパネルには、運転者に対して各種情報を表示するメータ（表示装置）が設けられている。近年、デザイン、表示情報の多様化に適用するために、図１に示すように、大型のＬＣＤ２（液晶ディスプレイ）を用いて、メータ１を実現することが考えられている（特許文献１）。
【０００３】
上述した大型のＬＣＤ２を用いたメータ１の断面図を図５に示す。同図に示すように、メータ１は、大型のＬＣＤ２と、このＬＣＤ２やＬＣＤ２が搭載される配線板５を収容する正面に開口が設けられたケース７と、を備えている。上記ＬＣＤ２は、図１に示すように、速度計２ａ、水温計２ｄ、燃料計２ｅなどをグラフィック表示する。
【０００４】
上記ケース７は、正面及び背面に開口が設けられたケース本体７１と、ケース本体７１の背面を覆う裏カバー７２と、から構成されている。また、メータ１は、ＬＣＤ２を露出する露出穴８１が設けられたケース７の正面開口を塞ぐ見返し８と、見返し８の正面側を覆う図示しない表ガラスと、をさらに備えている。
【０００５】
上述した大型のＬＣＤ２には、複数のＬＥＤからの光をバックライトとして入射して情報を表示させている。このため、ＬＥＤによる大きな消費電力が発生するため、熱対策が必要になる。そこで、メータ１の裏カバー７２に多数の放熱孔７２ｃを設ける必要がある。上記ＬＥＤなどから発生した熱は、矢印Ｙ１に示すように、放熱孔７２ｃを通じて外部に放熱される。
【０００６】
しかしながら、その放熱孔７２ｃからケース７内に異物が入ることが懸念される。そして、ケース７内に進入した異物は、矢印Ｙ２に示すように、ＬＣＤ２と見返し８との隙間を通ってＬＣＤ２正面の表示面まで進入する恐れがある。大型のＬＣＤ２の場合、ＬＣＤ２正面の表示面に異物が進入してしまう確率は、一般的なＬＣＤ２の場合より、かなり大きく表示品質に与える影響も少なくない。
【０００７】
そこで、放熱孔７２ｃからＬＣＤ２正面への異物進入を防止するために、例えば、放熱孔７２ｃの数を減らしたり、放熱孔７２ｃの周辺に壁を設けるなどが考えられるが、いずれも補熱効果が劣化する恐れがある。また、放熱孔７２ｃを無くして裏カバー７２に放熱板を設けたり、放熱孔７２ｃを特殊なフィルターで覆うことも考えられるが、部品追加量が大きく、作業性も劣化する、という問題があった。
【先行技術文献】
【特許文献】
【０００８】
【特許文献１】特開平１１−２４０３５５号公報
【発明の概要】
【発明が解決しようとする課題】
【０００９】
そこで、本発明は、作業性、放熱性を維持したまま、表示器正面の表示面への異物進入を防止できるようになり、表示品位を向上させた表示装置を提供することを課題とする。
【課題を解決するための手段】
【００１０】
上述した課題を解決するための請求項１記載の発明は、表示器と、前記表示器を収容する正面に開口が設けられたケースと、前記表示器よりも正面側に配置され、前記表示器を露出するための露出穴が設けられた前記ケースの正面開口を塞ぐ見返しと、前記見返しの正面側を覆う表ガラスと、を備え、前記ケースに放熱用の放熱孔が設けられた表示装置において、前記表示器の正面側の全縁部と前記見返しの背面側において前記露出穴の全縁部との間に設けた弾性のパッキンをさらに備えたことを特徴とする表示装置に存する。
【００１１】
請求項２記載の発明は、前記ケースには、所定の意匠が設けられた表示板が前記表示器と並べて収容され、前記表示器の縁部が、前記パッキンよりも正面側に配置されていることを特徴とする請求項１に記載の表示装置に存する。
【発明の効果】
【００１２】
以上説明したように請求項１記載の発明によれば、表示器の正面側の縁部と見返しの背面側において露出穴の縁部との間にパッキンが設けられているので、放熱孔からケース内部に異物が侵入したとしても、パッキンにより表示器と見返しとの間の隙間が塞がれているため、その異物が表示器正面の表示面への進入を防止することができる。従って、作業性、放熱性を維持したまま、表示器正面の表示面への異物進入を防止できるようになり、表示品位を向上させることができる。
【００１３】
請求項２記載の発明によれば、表示板の縁部が、パッキンよりも正面側に配置されているので、パッキンのめくれを防止できる。
【図面の簡単な説明】
【００１４】
【図１】本発明の表示装置としてのメータの正面図である。
【図２】図１のＡ−Ａ線断面図である。
【図３】図１のメータから見返しを外した状態の正面図である。
【図４】図３のＸ部の部分拡大斜視図である。
【図５】従来のメータの一例を示す断面図である。
【発明を実施するための形態】
【００１５】
以下、本発明の表示装置を図面に基づいて説明する。図１は、本発明の表示装置としてのメータの正面図である。図２は、図１のＡ−Ａ線断面図である。図３は、図１のメータから見返しを外した状態の正面図である。図４は、図３のＸ部の部分拡大斜視図である。
【００１６】
図１に示すように、メータ１は、表示器としての液晶表示器（以下、ＬＣＤ）２と、このＬＣＤ２の左右に並べて設けられたウォーニング表示器３、４と、を備えている。上記ＬＣＤ２は、メータ１の中央部に配置された大型の周知の液晶表示器であり、その中央にアナログの速度計２ａをグラフィック表示する。また、ＬＣＤ２は、速度計２ａ内にシフトインジケータ２ｂ及びオド・トリップ計２ｃをグラフィック表示し、速度計２ａの左右にアナログの水温計２ｄ、燃料計２ｅ、ターンＬ２ｆ、ターンＲ２ｇをグラフィック表示する。
【００１７】
上記ウォーニング表示器３、４は、複数のウォーニング意匠がそれぞれ形成された表示板としてのウォーニング板３１、４１（図３）と、これらウォーニング意匠の背面に配置された複数の図示しないウォーニング用ＬＥＤと、から構成されている。ウォーニング板３１、４１は、例えば透明基板から構成されていて、正面又は背面にウォーニング意匠が切り抜かれた黒色印刷が施されている。以上の構成により、ウォーニング用ＬＥＤが点灯すると、その正面のウォーニング意匠が光輝して視認される。
【００１８】
また、メータ１は、図２などに示すように、配線板５と、配線板５の背面を覆うシールド６と、これらＬＣＤ２、ウォーニング表示器３、４や配線板５、シールド６を収容する正面に開口が設けられた樹脂製のケース７と、上記ＬＣＤ２、ウォーニング表示器３、４よりも正面側に配置され、これらＬＣＤ２、ウォーニング表示器３、４を露出する露出穴８１〜８３が設けられたケース７の正面開口を塞ぐ見返し８と、見返し８の正面側を覆う図示しない表ガラスと、を備えている。
【００１９】
配線板５は、上述したＬＣＤ２やウォーニング板３１、４１の背面に配置されていて、ＬＣＤ２などを制御するための電子部品やＬＣＤ２を照明するＬＣＤ用ＬＥＤ、上記ウォーニング用ＬＥＤなどが搭載されている。シールド６は、金属などの導電性部材から受け皿状に構成されていて、配線板５の背面に取り付けられている。このシールド６により、配線板５からのノイズが外部に出ることを防ぐと共に、他の電子機器からのノイズが配線板５に進入することを防ぐことができる。
【００２０】
上記ケース７は、正面と背面とに開口が設けられたケース本体７１と、このケース本体７１の背面を塞ぐ裏カバー７２と、で構成されている。上記ケース本体７１には、上述したＬＣＤ２、ウォーニング表示器３、４、配線板５及びシールド６が収容されている。上記裏カバー７２は、ケース本体７１の背面開口を覆う底壁７２ａと、この底壁７２ａの縁部から立設する周壁７２ｂと、から構成されている。
【００２１】
この底壁７２ａには、配線板５に接続された外接コネクタ９が突出して外部に露出されている。また、この周壁７２ｂに、多数の放熱孔７２ｃが設けられていて、この放熱孔７２ｃからＬＣＤ２や配線板５からの熱が外部に放出される。
【００２２】
上記見返し８は、図１に示すように、上述したようにＬＣＤ２、ウォーニング表示器３、４を露出する露出穴８１〜８３が設けられ、ケース７の正面開口を塞いで不必要な部分を隠す。上記露出穴８１は、ＬＣＤ２の外縁よりも少し小さめに設けられていて、ＬＣＤ２を露出する。上記露出穴８２、８３は、ウォーニング板３１、３２よりも少し小さめに設けられていて、ウォーニング板３１、３２を露出する。また、この見返し８の周縁からは周壁８４が立設している。そして、この見返し８の正面には、図示しない表ガラスが取り付けられており、正面からゴミなどが入らないようになっている。
【００２３】
また、上記メータ１には、図２〜図４に示すように、ゴムなどの弾性部材から構成されたパッキン１０がさらに備えられている。上記パッキン１０は、リング状に形成されていて、ＬＣＤ２の正面側の全縁部と見返し８の背面側において露出穴８１の全縁部との間に設けられている。そして、図３及び図４に示すように、ウォーニング板３１、３２の縁部がこのパッキン１０よりも正面側に配置されている。
【００２４】
また、上記パッキン１０は、図４に示すように、ＬＣＤ２正面の縁部からはみ出るように設けられていて、そのはみ出た部分には、ケース本体７１に突設した位置決めボス７１ａが挿入される位置決め穴１０ａが設けられている。これにより、位置決め穴１０ａを位置決めボス７１ａ内に挿入するようにパッキン１０を取り付ければよく、パッキン１０の取付性向上を図ることができる。
【００２５】
次に、上述したメータ１の組み立て手順について説明する。まず、ケース本体７１内にＬＣＤ２、配線板５、シールド６を収容した後に、ケース本体７２の背面側開口に裏カバー７２を取り付ける。その後、ＬＣＤ２の正面側縁部にパッキン１０を取り付けるこのとき、パッキン１０に設けた位置決め穴１０ａにケース本体７１に設けた位置決めボス７１ａが挿入するように取り付ける。
【００２６】
次に、ウォーニング板３１、３２をケース本体７１にネジ止めなどにより取り付ける。このとき、ウォーニング板３１、３２の縁部が、パッキン１０よりも正面側に配置される。その後、見返し８をケース本体７１に取り付け、表ガラス９を見返し８に取り付けて完成する。
【００２７】
上述したメータ１によれば、ＬＣＤ２の正面側の縁部と見返し８の背面側において露出穴８１の縁部との間にパッキン１０が設けられているので、放熱孔７２ｃからケース７内に異物が侵入したとしても、パッキン１０によりＬＣＤ２と見返し８との間の隙間が塞がれているため、その異物がＬＣＤ２正面の表示面への進入を防止することができる。従って、作業性、放熱性を維持したまま、ＬＣＤ２正面の表示面への異物進入を防止できるようになり、表示品位を向上させることができる。
【００２８】
また、上述したメータ１によれば、ウォーニング板３１、３２の縁部が、パッキン１０よりも正面側に配置されているので、パッキン１０のめくれを防止できる。
【００２９】
なお、上述した実施形態によれば、ウォーニング板３１、３２をパッキン１０よりも正面側に配置していたが、本発明はこれに限ったものではない。例えば、ＬＣＤ２の左右に指針表示器を並べる場合は、その指針表示器の文字板をウォーニング板３１、３２の代わりにパッキン１０の正面側に配置して、パッキン１０めくれを防止するようにしてもよい。
【００３０】
また、上述した実施形態によれば、ウォーニング板３１、３２をパッキン１０よりも正面側に配置していたが、本発明はこれに限ったものではない。ＬＣＤ２にウォーニング板３１、３２をパッキン１０の正面側に配置しなくてもよい。
【００３１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３２】
１      メータ（表示装置）
２      ＬＣＤ（表示器）
７      ケース
８      見返し
１０    パッキン
３１    ウォーニング板（表示板）
３２    ウォーニング板（表示板）
７２ｃ  放熱孔
８１    露出穴
【図１】
0005746497.tif 000002
【図２】
0005746497.tif 000003
【図３】
0005746497.tif 000004
【図４】
0005746497.tif 000005
【図５】
0005746497.tif 000006